(57)【要約】【課題】空間内の温度を適温に保ちながら、空間内の空気を清浄できる。【解決手段】空気調和装置は、空気を浄化する浄化部と、浄化部により浄化された空気を空間に送出する送風部と、空間の空気の汚れを検出する汚れ検出部と、送風部によって送出される空気の温度を制御する温度制御部と、送風部を制御する送風制御部と、を備え、送風制御部は、汚れ検出部で検出結果に応じて、送風部の送出強度を設定し、さらに、空気調和装置の熱交換温度に基づいて、設定された送出強度を補正する。【選択図】図３
2020204424.tif 000002
【特許請求の範囲】
【請求項１】
空気調和装置であって、
空気を浄化する浄化部と、
前記浄化部により浄化された空気を空間に送出する送風部と、
前記空間の空気の汚れを検出する汚れ検出部と、
前記送風部によって送出される空気の温度を制御する温度制御部と、
前記送風部を制御する送風制御部と、を備え、
前記送風制御部は、前記汚れ検出部で検出結果に応じて、前記送風部の送出強度を設定し、さらに、前記空気調和装置の熱交換温度に基づいて、前記設定された送出強度を補正する、空気調和装置。
【請求項２】
前記送風制御部は、さらに前記温度制御部の運転状態に基づいて、前記設定された送出強度を補正する、請求項１に記載の空気調和装置。
【請求項３】
前記温度制御部は、前記送出される空気を冷却または加熱する熱交換器を制御し、
前記熱交換温度は、前記熱交換器の温度に応じた温度である、請求項１又は２に記載の空気調和装置。
【請求項４】
さらに、前記空間の温度を検出する温度検出部を備え、
前記熱交換温度は、前記温度検出部により検出された温度に応じた温度である、請求項１〜３のいずれか１項に記載の空気調和装置。
【請求項５】
さらに、前記空間の空気の湿度を検出する湿度検出部を備え、
前記送風制御部は、前記湿度検出部により検出された湿度に基づいて、前記設定された送出強度を補正する、請求項１〜４のいずれか１項に記載の空気調和装置。
【請求項６】
前記送風部は、前記送出される空気の向きを変更する風向変更部を備え、
前記送風制御部は、前記空気調和装置の熱交換温度に基づいて、前記風向変更部の向きを変更する、請求項１〜５のいずれか１項に記載の空気調和装置。
【発明の詳細な説明】
【技術分野】
【０００１】
本発明は、空気調和装置に関する。
【背景技術】
【０００２】
特許文献１に開示された空気調和機は、部屋内にいる人の快適性を阻害することなく、室内のダストを効率よく捕集し、ダストの濃度を短時間で減少させる。
【先行技術文献】
【特許文献】
【０００３】
【特許文献１】特開２００７−１３２６１０号公報
【発明の概要】
【発明が解決しようとする課題】
【０００４】
特許文献１に開示された空気調和機においては、ダスト濃度が増加した場合に風速を上げて、冷気（又は暖気）を送出する。送出される冷気（又は暖気）の風速が上がると、室内の人が冷気（又は暖気）を感じることになり、室内の人の体感温度が低下（又は上昇）する場合がある。そこで、本発明の一態様は、例えば、空間内の温度を適温に保ちながら、空間内の空気を清浄できる空気調和装置を提供することを目的とする。
【課題を解決するための手段】
【０００５】
本開示の一態様に係る空気調和装置は、空気を浄化する浄化部と、前記浄化部により浄化された空気を空間に送出する送風部と、前記空間の空気の汚れを検出する汚れ検出部と、前記送風部によって送出される空気の温度を制御する温度制御部と、前記送風部を制御する送風制御部と、を備え、前記送風制御部は、前記汚れ検出部で検出結果に応じて、前記送風部の送出強度を設定し、さらに、前記空気調和装置の熱交換温度に基づいて、前記設定された送出強度を補正する。
【図面の簡単な説明】
【０００６】
【図１】エアコンの外観の一例を示す斜視図である。
【図２】エアコンの内部構成の一例を示す縦断面図である。
【図３】エアコンの機能構成の一例を示すブロック図である。
【図４】基準モデルデータベースの一例を示す図である。
【図５】「風量制御運転：ＯＮ」に関連付けられた基準モデルの一例を示す図である。
【図６】「風量制御運転：ＯＮ」に関連付けられた基準モデルの他の一例を示す図である。
【図７】「風量制御運転：ＯＦＦ」に関連付けられた基準モデルの一例を示す図である。
【図８】補正モデルデータベースの一例を示す図である。
【図９】「風量制御運転：ＯＮ、冷房運転：ＯＮ」に関連付けられた補正モデルの一例を示す図である。
【図１０】補正された送出強度、及び基準モデルの一例を示す図である。
【図１１】「風量制御運転：ＯＮ、暖房運転：ＯＮ」に関連付けられた補正モデルの一例を示す図である。
【図１２】「風量制御運転：ＯＮ、除湿運転：ＯＮ」に関連付けられた補正モデルの一例を示す図である。
【図１３】エアコンの動作の一例を示すフローチャートである。
【図１４】エアコンの機能構成の一例を示すブロック図である。
【発明を実施するための形態】
【０００７】
［第１の実施形態］
図１〜図１３に基づいて、第１の実施形態を説明する。なお、図面については、同一又は同等の要素には同一の符号を付し、重複する説明は省略する。
【０００８】
（エアコン１の概要）
本実施の形態に係るエアコン（空気調和装置）１は、空気清浄運転・空気調和運転を行える。空気清浄運転は、例えば、エアコン１が空間内（例えば、エアコン１が設置された室内）の空気を浄化する運転であってよい。具体的には、エアコン１が空気清浄運転を行う場合、ゴミ（例えば、微生物、塵、埃など）を含む空気を吸い込み、当該吸い込んだ空気をフィルタすることで当該ゴミを除去することによって空間内の空気を浄化し、当該浄化した空気を当該空間内に送出する運転であってよい。
【０００９】
一方で、空気調和運転は、例えば、ユーザによって設定された温度（以下、「設定温度」と称する）に応じた冷気・暖気を、エアコン１が空間内に送出する運転であってよい。具体的には、室内を冷やす冷房運転と、室内を温める暖房運転とが、空気調和運転に含まれる。
【００１０】
エアコン１は、空気調和運転を行うと浄化した空気を空間内に送出するため、空気調和運転を行っている時には、空気清浄運転を行っている状態になる。ここで、例えば、エアコン１が空気調和運転を行う場合、空気清浄を効率的に行うために送風量を増加させると、空間内の温度（以下、「室温」と称する）が設定温度から乖離することがある。例えば、エアコン１が冷房運転を行っており、室温が設定温度に保たれている場合に、空気清浄のために送風量を増加させると、過剰な冷気がユーザに当たり、不快感を覚えさせるおそれがある。
【００１１】
そこで、エアコン１は、空間の空気の汚れに応じて、送風強度を設定し、エアコン１の熱交換温度に基づいて、当該設定された送出強度を補正する。これにより、エアコン１は、室温を適温に保ちながら、空気を清浄できる。
【００１２】
（エアコン１の構成）
本実施形態においては、一例として、室内機と室外機とからなるセパレート型エアコンを説明する。まず、図１、及び図２に基づいて、エアコン１の構成の一例を説明する。図１は、エアコン１の外観の一例を示す斜視図であり、図２は、エアコン１の内部構成の一例を示す縦断面図である。
【００１３】
エアコン１の室内機は、筐体２と、筐体２の前面（正面）に配置される風向板３とを備える。筐体２の内部には、送風機７、熱交換器８等が配置されている。なお、室内機を前面（正面）から見て幅方向を左右方向とし、室内機の奥行方向を前後方向とし、室内機の高さ方向を上下方向とする。
【００１４】
熱交換器８は、室外機に配置された圧縮機１２（図３参照）に接続され、送風機７によって送出される空気を冷却または加熱する。具体的には、圧縮機１２が駆動されると、圧縮機１２から流出した冷媒により冷却・加熱された空気と、上吸込み口５及び下吸込み口６から吸入された空気とを熱交換する。エアコン１は、熱交換器８による熱交換により冷房運転、暖房運転、及び除湿運転のいずれかの空気調和運転を行う。
【００１５】
室内機の前面には吹出し口４が形成され、吹出し口４には風向板３が配置されている。風向板３の向きが変更されることにより、吹出し口４から吹き出す空気の方向が変更される。
【００１６】
筐体２の上面には上吸込み口５が形成され、筐体２の下面には下吸込み口６が形成されている。筐体２の内部には、上吸込み口５から吹出し口４に至る上空気通路と、下吸込み口６から吹出し口４に至る下空気通路とが形成され、上空気通路と下空気通路とが共通する部分に、送風機７と熱交換器８とが配置されている。
【００１７】
上吸込み口５には、空気清浄のための第１フィルタ９が配置されている。また、下吸込み口６には、空気清浄のための第２フィルタ１０が配置されている。第１フィルタ９及び第２フィルタ１０は、例えば、ＨＥＰＡ（High Efficiency Particulate Air）フィルタである。または、第１フィルタ９、第２フィルタ１０の少なくともいずれかは、ＨＥＰＡフィルタと静電フィルタとを組み合わせて形成されてもよい。
【００１８】
送風機７は、例えば、ファンモータとファンとを有する。ファンモータはファンを回転駆動する。ファンモータは、例えば、直流モータである。ファンは、例えば、ターボファンである。なお、ファンは、プロペラファン、クロスファン等であってもよい。
【００１９】
送風機７が回転した場合、上吸込み口５、及び下吸込み口６から空気が吸入される。上吸込み口５から吸入された空気は、第１フィルタ９、送風機７及び熱交換器８を経て、吹出し口４から吹き出される。同様に、下吸込み口６から吸入された空気は、第２フィルタ１０、送風機７及び熱交換器８を経て、吹出し口４から吹き出される。すなわち、送風機７は、第１フィルタ９、又は第２フィルタ１０により浄化された空気を、エアコン１が設置された空間内に送出する。
【００２０】
イオン発生器１１は、正又は負の少なくとも一方のイオンを放出し、送風機７から吹出し口に向かう通路中に配置される。イオン発生器１１から放出されるイオンは、菌類、ウィルス、及びアレルゲン等を死滅又は不活性化させ、悪臭の原因となる物質（例えば、アセトアルデヒドのような有機化合物）を分解する。これにより、エアコン１は浄化された空気を送出できる。
【００２１】
エアコン１は、圧縮機１２とイオン発生器１１とを駆動させる場合、空気調和運転と空気清浄運転とを同時に行う状態となる。また、エアコン１は、イオン発生器１１を停止させた状態で、送風機７を駆動させて送風を行う場合には、単独空気調和運転を行う状態となる。また、圧縮機１２を停止した状態で送風機７とイオン発生器１１とを駆動させて送風を行う場合には、単独空気清浄運転を行う状態となる。
【００２２】
なお、以下の説明では、説明の便宜上、エアコン１が、空気の汚れに応じて送風量を変化させることを、「風量制御運転」と表現する。また、以下の説明では、説明の便宜上、エアコン１がＸ運転（Ｘ運転は、冷房運転、暖房運転、除湿運転、及び風量制御運転のうちのいずれか）を行う状態を、「Ｘ運転：ＯＮ」と表現する。同様に、以下の説明では、説明の便宜上、エアコン１がＸ運転を行わない状態を、「Ｘ運転：ＯＦＦ」と表現する。また、以下の説明では、冷房運転、暖房運転、除湿運転、風量制御運転を「運転モード」と称する。エアコン１は、リモコン等に対するユーザの操作に基づいて、運転モードを設定（変更）できる。なお、エアコン１は、空気調和運転と風量制御運転とを同時に行ってもよいし、空気調和運転又は風量制御運転のいずれかを行ってもよい。
【００２３】
（エアコン１の機能構成）
図３は、エアコン１の機能構成の一例を示すブロック図である。図３に例示されるように、エアコン１は、例えば、記憶部２０と、浄化部３０と、送風部４０と、汚れ検出部５１と、温度検出部５２と、湿度検出部５３と、制御部６０と、熱交換器８と、圧縮機１２とを備える。なお、図３は、エアコン１の構成の一例であり、本実施形態に係るエアコン１の構成を、図３に示す構成に限定しない。
【００２４】
記憶部２０は、任意の記録媒体によって構成される記憶モジュールであり、各種のデータベースを格納している。記憶部２０は、例えば、基準モデルデータベース２１と、補正モデルデータベース２２とを格納してよい。
【００２５】
基準モデルデータベース２１は、空気の汚れの程度に応じた送出強度を示す情報を、基準モデルとして格納する。
【００２６】
補正モデルデータベース２２は、送出強度を補正するための情報を、補正モデルとして格納する。
【００２７】
また、記憶部２０は、運転強度に応じた送出強度を示す情報を予め格納する。以下の説明では、運転強度に応じた上記送出強度を、「基準設定値」と称する。なお、記憶部２０に格納されるデータベース（情報）の詳細は後述する。
【００２８】
浄化部３０は、空間内（例えば、エアコン１が設置された室内）の空気を浄化する。浄化部３０は、例えば、イオン発生器１１を含んで構成される。
【００２９】
送風部４０は、浄化部３０により浄化された空気を空間に送出する。送風部４０は、例えば、送風機７を含んで構成されてよい。さらに、送風部４０は、風向変更部４１を備える。なお、以下の説明では、説明の便宜上、送風部４０によって送出される空気の送出強度を、単に「送出強度」と表記する。また、以下の説明では、説明の便宜上、送風部４０によって送出される空気の送出方向を、単に「送出方向」と表記する。
【００３０】
風向変更部４１は、送出される空気の向きを変更する。
【００３１】
汚れ検出部５１は、空間内の空気の汚れを検出する。汚れ検出部５１は、例えば、第１フィルタ９、及び第２フィルタ１０を含んで構成されてよい。
【００３２】
温度検出部５２は、例えば、空間内の空気の温度を検出する。温度検出部５２は、例えば、温度センサを含んで構成されてよい。温度検出部５２は、例えば、上吸込み口５、及び下吸込み口６の少なくともいずれかから吸入された空気の温度を検出できる。さらに、温度検出部５２は、熱交換器８の温度を測定できる。なお、本実施形態に係るエアコン１においては、熱交換温度は、熱交換器８の温度と、温度検出部５２によって検出された温度との差分であるものとする。
【００３３】
湿度検出部５３は、エアコン１の周囲の空気の湿度を検出する。湿度検出部５３は、例えば、湿度センサを含んで構成されてよい。湿度検出部５３は、例えば、上吸込み口５、及び下吸込み口６の少なくともいずれかから吸入された空気の湿度を検出できる。
【００３４】
制御部６０は、例えば、汚れ判断部６１、温度制御部６２、及び送風制御部６３などを含むことができる。制御部６０は、風向板３、送風機７、熱交換器８、圧縮機１２等のそれぞれに接続され、各部を制御する。制御部６０は、ＣＰＵ（Central Processing Unit）等のプロセッサにより実現される。例えば、プロセッサは、記憶部２０に格納されたプログラムを読み出し、実行することで、制御部６０として動作できる。
【００３５】
汚れ判断部６１は、空間内の空気の汚れの程度を判断する。汚れ判断部６１は、例えば、第１フィルタ９、及び第２フィルタ１０の少なくともいずれかに吸着した粒子の濃度に基づいて、空気の汚れの程度を判断してよい。汚れ判断部６１は、空気の汚れの程度を判断できればよく、その詳細は問わない。
【００３６】
温度制御部６２は、エアコン１の運転状態を制御する。温度制御部６２は、例えば、熱交換器８を制御することで、エアコン１の運転状態を制御できる。
【００３７】
送風制御部６３は、送風部４０によって送出される空気の送出強度、及び送出方向の少なくともいずれかを制御する。送風制御部６３は、例えば、送風機７の回転数を制御することで、送出強度を制御してよい。また、送風制御部６３は、例えば、風向板３の向きを制御することで、送出方向を制御してよい。
【００３８】
（送出強度の制御）
送風制御部６３は、汚れ検出部５１で検出された空気の汚れの検出結果に応じて、送出強度を設定し、エアコン１の熱交換温度に基づいて、設定された送出強度を補正する。上記検出結果とは、例えば、第１フィルタ９、及び第２フィルタ１０の少なくともいずれかに吸着した粒子の濃度であってよい。以下の説明では、説明の便宜上、上記検出結果を、空気の汚れの程度と表現する。
【００３９】
具体的には、まず、送風制御部６３は、記憶部２０を参照し、設定された運転強度に応じた基準設定値を取得する。
【００４０】
次に、送風制御部６３は、基準モデルデータベース２１を参照し、運転モードに基づいて、基準モデルを取得する。そして、送風制御部６３は、例えば、取得された基準モデルを参照し、検出された空気の汚れの程度に応じた送出強度（以下、「補正基準値」と称する）を算出する。
【００４１】
次に、送風制御部６３は、補正モデルデータベース２２を参照し、運転モードに応じた補正モデルを取得する。以下の説明では、熱交換温度、湿度の少なくともいずれかと、補正基準値に対する重み（以下、「補正率」と称する）とを関連付けた情報が、補正モデルに格納される場合を例示して説明する。ただし、これは、補正モデルに格納される情報を限定しない。補正モデルに格納される情報は、送出強度を補正するための情報であれば、その詳細は問わない。なお、補正率の詳細は後述する。
【００４２】
送風制御部６３は、例えば、取得された補正モデルを参照し、エアコン１の熱交換温度に基づいて、補正率を決定してよい。
【００４３】
そして、送風制御部６３は、補正基準値（空気の汚れの程度に応じた送出強度）と、補正率とに基づいて、当該送出強度を補正する。例えば、送風制御部６３は、基準設定値と補正基準値との差分に、補正率を乗じた値（積）を算出してよい。そして、送風制御部６３は、当該積と基準設定値との和を、補正後の送出強度として決定してもよい。ただし、これは、送出強度の補正方法を限定せず、他の方法で送出強度が補正されてよい。例えば、送風制御部６３は、補正基準値から、決定された補正率を差し引いた値を、送出強度として決定してもよい。
【００４４】
送風制御部６３は、例えば、補正後の送出強度が補正基準値より低くなるように、補正率を決定してよい。ここで、エアコン１は、例えば、空気の汚れの程度が増大した場合に、過度に送出強度が上昇することを防止するように、補正率を決定してよい。
【００４５】
また、送風制御部６３は、例えば、エアコン１の運転状態に基づいて、設定された送出強度（補正基準値）を補正してよい。これにより、エアコン１は、運転モード、運転強度、及び空気の汚れの程度に応じて、室内を快適に保つことができる。
【００４６】
また、送風制御部６３は、例えば、湿度検出部５３により検出された湿度に基づいて、設定された送出強度を補正してもよい。具体的には、送風制御部６３は、湿度と補正率とが関連付けられた補正モデルを参照し、湿度検出部５３により検出された湿度に基づいて、補正率を算出してよい。
【００４７】
例えば、エアコン１は、除湿運転を行う場合、上吸込み口５、及び下吸込み口６から空気を吸い込み、熱交換器８により当該空気を冷却することで結露した水を、室外機を介して排出する。これにより、エアコン１は、室内を除湿できる。
【００４８】
湿度検出部５３により検出された湿度が所定の湿度を超える場合、送風機７の送出強度が強すぎると、熱交換器８の温度が上昇し、当該温度が、吸い込まれた空気の露点温度以上になるおそれがある。その結果、結露が発生せず、エアコン１は、十分に除湿をできないおそれがある。また、当該温度が、吸い込まれた空気の露点温度以上になると、熱交換器８に付着している水分が蒸発し、吹出し口４から室内に放出される。その結果、室内の湿度が上昇するおそれがある。そのため、上記湿度が所定の湿度を超える場合に、送風機７の送出強度が強すぎると、エアコン１は、効率的に除湿できない場合がある。
【００４９】
そこで、送風制御部６３は、例えば、湿度検出部５３により検出された湿度に基づいて、送出強度（補正基準値）を補正する。これにより、エアコン１は、適切に除湿しつつ、空気を清浄できる。
【００５０】
（送出方向の制御）
例えば、エアコン１が、室内の上方（室内の人の頭頂位置より上方）に設置されているとする。その場合、エアコン１が室内の下方に空気を送出すると、送出された空気が室内の人に対して直接に当たるおそれがある。
【００５１】
ここで、エアコン１が空気（冷気又は暖気）を送出した際に、室内の人の体感温度が変化しない場合であっても、送出された空気が当該室内の人に対して直接に当たると、当該室内の人は、不快感を覚えるおそれがある。そこで、風向変更部４１は、送出される空気の向きを変更する。風向変更部４１は、例えば、室内の天井方向に空気が送出されるように、風向板３の向きを変更できる。これにより、エアコン１は、送出された空気が、室内の人に対して直接に当たることを防止できる。
【００５２】
または、風向変更部４１は、エアコン１の熱交換温度に基づいて、風向板３の向きを制御してもよい。風向変更部４１は、例えば、エアコン１の熱交換温度が所定の温度範囲でない場合、室内の天井方向に空気が送出されるように、風向板３の向きを変更できる。これにより、エアコン１は、過度な冷気（又は暖気）が、室内の人に対して直接に当たることを防止できる。
【００５３】
（記憶部に格納されるデータベース）
図４は、基準モデルデータベース２１の一例を示す図である。なお、図４は、基準モデルデータベース２１に格納される情報、及び基準モデルデータベース２１の構成を、図４に示す情報及び構成に限定しない。
【００５４】
運転モードに応じた基準モデルが基準モデルデータベース２１に格納される。ここで、基準モデルは、例えば、空気の汚れの程度と、補正基準値とを関連付けた情報である。例えば、基準モデルデータベース２１は、運転モード「風量制御運転：ＯＮ」と、基準モデル「ｂａｓｅ＿ａ」とを関連付けて格納する。また、例えば、基準モデルデータベース２１は、運転モード「風量制御運転：ＯＦＦ」と、基準モデル「ｂａｓｅ＿ｂ」とを関連付けて格納する。
【００５５】
図５は、「風量制御運転：ＯＮ」に関連付けられた基準モデルのｂａｓｅ＿ａ１０１の一例を示す図である。例えば、ｂａｓｅ＿ａ１０１において、補正基準値は、基準設定値以上であり、空気の汚れの程度が増加するほど増加する。図５に例示するように、ｂａｓｅ＿ａ１０１において、補正基準値は、空気の汚れの程度に対して、単調増加傾向の相対関係を有する。そのため、エアコン１は、ｂａｓｅ＿ａ１０１を参照し、補正基準値として示す送出強度で空気を送出する場合、空気の汚れの程度が増加するほど、送出強度を増加させて空間内の空気を清浄できる。なお、ｂａｓｅ＿ａ１０１において、空気の汚れが検出されない場合（図５に示す「空気の汚れ＝０」の場合）には、補正基準値は基準設定値である。
【００５６】
図６は、「風量制御運転：ＯＮ」に関連付けられた基準モデルのｂａｓｅ＿ａ１０２の他の一例を示す図である。例えば、ｂａｓｅ＿ａ１０２においては、補正基準値は、基準設定値以上であり、空気の汚れの程度が所定の閾値を超える場合、空気の汚れの程度が増加するほど、補正基準値が増加する。また、ｂａｓｅ＿ａ１０２においては、空気の汚れの程度が所定の閾値以下である場合、補正基準値は、基準設定値である。
【００５７】
ｂａｓｅ＿ａ１０２において、例えば、補正基準値は、空気の汚れの程度に対して、ランプ関数に基づく相対関係を有してよい。または、ｂａｓｅ＿ａ１０２において、例えば、補正基準値は、空気の汚れの程度に対して、１以上の変曲点を含む単調増加関数に基づく相対関係を有してよい。なお、ｂａｓｅ＿ａ１０２において、空気の汚れが検出されない場合（図６に示す「空気の汚れ＝０」の場合）には、補正基準値は、基準設定値である。そのため、エアコン１が、ｂａｓｅ＿ａ１０２を参照し、補正基準値として示す送出強度で空気を送出する場合であって、空気の汚れの程度が所定の閾値を超える場合、空気の汚れの程度が増加するほど、送出強度を増加させて空間内の空気を清浄できる。
【００５８】
図７は、「風量制御運転：ＯＦＦ」に関連付けられた基準モデルのｂａｓｅ＿ｂ１０３の一例を示す図である。例えば、図７に例示するｂａｓｅ＿ｂ１０３において、補正基準値は、基準設定値である。つまり、エアコン１は、風量制御運転を行わない場合には、所定の設定温度に応じた送出強度に基づいて、空気（冷気又は暖気）を送出する。これにより、エアコン１は、空気を清浄することよりも、ユーザの体感温度を所定の温度に維持することを優先できる。ここで、ユーザは、エアコン１の運転モードを、リモコン等を用いて設定できる。そのため、エアコン１は、空気を清浄することよりも、ユーザの体感温度を所定の温度に維持することを優先するということを、ユーザに選択させることができる。
【００５９】
このように、エアコン１は、「風量制御運転」の動作の有無に応じて、異なる基準モデルを記憶部２０に格納する。さらに、ユーザは、エアコン１の運転モードを、リモコン等を用いて設定できる。そのため、エアコン１は、空気を清浄しながら室内の状態を快適にするか、空気を清浄するよりもユーザの体感温度を所定の温度に維持することを優先するかを、ユーザに選択させることができる。
【００６０】
図８は、補正モデルデータベース２２の一例を示す図である。なお、図８は、補正モデルデータベース２２に格納される情報、及び補正モデルデータベース２２の構成を、図８に示す情報及び構成に限定しない。
【００６１】
運転モードに応じた補正モデルが補正モデルデータベース２２に格納される。ここで、補正モデルは、例えば、熱交換温度、湿度の少なくともいずれかと、空気の汚れの程度と、補正率とを関連付けた情報である。
【００６２】
また、例えば、補正モデルデータベース２２は、運転モード「風量制御運転：ＯＮ」と、「冷房運転：ＯＦＦ、及び暖房運転：ＯＦＦ、及び除湿運転：ＯＦＦ」と、補正モデル「補正率＝１．０」とを関連付けて格納する。つまり、図８は、エアコン１が、風量制御運転を行わない場合、熱交換温度に基づいて、送出強度を補正しないことを示す。言い換えると、エアコン１は、風量制御運転を行わない場合、補正基準値として示す送出強度で空気を送出する。
【００６３】
また、例えば、補正モデルデータベース２２は、運転モード「風量制御運転：ＯＮ、冷房運転：ＯＮ」と、補正モデル「ｍｏｄｅｌ＿Ａ」とを関連付けて格納する。また、例えば、補正モデルデータベース２２は、運転モード「風量制御運転：ＯＮ、暖房運転：ＯＮ」と、補正モデル「ｍｏｄｅｌ＿Ｂ」とを関連付けて格納する。また、例えば、補正モデルデータベース２２は、運転モード「風量制御運転：ＯＮ、除湿運転：ＯＮ」と、補正モデル「ｍｏｄｅｌ＿Ｃ」とを関連付けて格納する。つまり、図８は、エアコン１は、空気調和運転を行う場合、エアコン１が実行している空気調和運転の種類毎に、異なる補正モデルを参照することを示す。
【００６４】
また、例えば、補正モデルデータベース２２は、運転モード「風量制御運転：ＯＦＦ」と、「冷房運転：ＯＮ、又は暖房運転：ＯＮ、又は除湿運転：ＯＮ」と、補正モデル「補正率＝１．０」とを関連付けて格納する。つまり、図８は、エアコン１が単独空調運転を行う場合、熱交換温度に基づいて送出強度を補正しないことを示す。言い換えると、エアコン１は、単独空調運転を行う場合、補正基準値として示す送出強度で空気を送出する。例えば、エアコン１は、単独空調運転において、図７に例示するｂａｓｅ＿ｂ１０３を参照する場合、空気を清浄することよりも、ユーザの体感温度を所定の温度に維持することを優先できる。
【００６５】
（運転モード「風量制御運転：ＯＮ、冷房運転：ＯＮ」の場合）
図９は、運転モード「風量制御運転：ＯＮ、冷房運転：ＯＮ」に関連付けられた補正モデルｍｏｄｅｌ＿Ａの一例を示す。図９に例示するように、補正モデルｍｏｄｅｌ＿Ａは、熱交換温度と汚れの程度とに応じた、補正率を格納する。なお、図９は、補正モデルｍｏｄｅｌ＿Ａに格納される情報、及び補正モデルｍｏｄｅｌ＿Ａの構成を、図９に示す情報及び構成に限定しない。
【００６６】
例えば、補正モデルｍｏｄｅｌ＿Ａにおいて、空気の汚れの程度Ｄが、Ｄ１＜Ｄ＜＝Ｄ２であって、熱交換温度が２．０℃である場合、補正率は、０．９０である。また、例えば、補正モデルｍｏｄｅｌ＿Ａにおいて、空気の汚れの程度Ｄが、Ｄ２＜Ｄ＜＝Ｄ３であって、熱交換温度が２．０℃である場合、補正率は、０．９５である。図９に例示するように、冷房運転に関連付けられた補正モデルｍｏｄｅｌ＿Ａにおいて、空気の汚れの程度と、熱交換温度とに応じて、補正率は異なる。
【００６７】
図１０は、補正された送出強度、及び基準モデルの一例を示す図である。具体的には、図１０において、一点破線で示す直線は、基準モデルのｂａｓｅ＿ａ１１３の一例を示す。また、図１０において、実線で示す曲線は、熱交換温度Ｔ１に対応し、冷房運転に関連付けられた補正モデルｍｏｄｅｌ＿Ａに基づいて補正された、送出強度１１１の一例を示す。
【００６８】
また、図１０において、破線で示す曲線は、熱交換温度Ｔ１とは異なる熱交換温度Ｔ２に対応し、補正モデルｍｏｄｅｌ＿Ａに基づいて補正された、送出強度１１２の一例を示す。なお、以下の説明では、説明の便宜上、送風制御部６３は、ｂａｓｅ＿ａ１１３に基づいて設定された送出強度（補正基準値）を補正して、図１０に例示する送出強度１１１、送出強度１１２を決定するものとする。図１０に例示するように、決定される送出強度は、熱交換温度と空気の汚れの程度とに応じて異なる。そのため、エアコン１は、熱交換温度と空気の汚れの程度とに応じた送出強度で空気を送出できる。
【００６９】
ここで、図１０に例示するように、送出強度が所定の下限送出強度Ｒａ＿ｍｉｎから上限送出強度Ｒａ＿ｍａｘの範囲内に制限されるように、補正モデルｍｏｄｅｌ＿Ａにおいて補正率が定義される。さらに、例えば、送出強度が、空気の汚れの程度に対して、１つ以上の変曲点を有する単調増加関数に基づく相対関係を有するように、冷房運転に関連付けられた補正モデルｍｏｄｅｌ＿Ａにおいて補正率が定義される。
【００７０】
エアコン１は、空気の汚れの程度が増大した場合（または空気の汚れが所定の上限値を超えた場合）に、所定の上限送出強度Ｒａ＿ｍａｘに送出強度を制限するように補正率を定義して、送出強度（正基準値）を補正する。これにより、エアコン１は、空気の汚れの程度が増大した場合（または、空気の汚れの程度が所定の上限値を超えた場合）に、体感温度の低下を防止しつつ、空間内の空気を効率的に清浄できる。
【００７１】
（運転モード「風量制御運転：ＯＮ、暖房運転：ＯＮ」の場合）
図１１は、運転モード「風量制御運転：ＯＮ、暖房運転：ＯＮ」に関連付けられた補正モデルｍｏｄｅｌ＿Ｂの一例を示す。図１１に例示するように、補正モデルｍｏｄｅｌ＿Ｂは、熱交換温度と、空気の汚れの程度とに応じた、補正率を格納する。なお、図１１は、補正モデルｍｏｄｅｌ＿Ｂに格納される情報、及び補正モデルｍｏｄｅｌ＿Ｂの構成を、図１１に例示する情報及び構成に限定しない。
【００７２】
例えば、補正モデルｍｏｄｅｌ＿Ｂにおいて、空気の汚れの程度Ｄが、Ｄ１＜Ｄ＜＝Ｄ２であって、熱交換温度が２．０℃である場合、補正率は、０．８５である。また、例えば、補正モデルｍｏｄｅｌ＿Ｂにおいて、空気の汚れの程度Ｄが、Ｄ２＜Ｄ＜＝Ｄ３であって、熱交換温度が２．０℃である場合、補正率は、０．７０である。図１１に例示するように、暖房運転に関連付けられた補正モデルｍｏｄｅｌ＿Ｂにおいて、空気の汚れの程度と、熱交換温度とに応じて、補正率は異なる。
【００７３】
例えば、送出強度が下限送出強度Ｒｂ＿ｍｉｎから上限送出強度Ｒｂ＿ｍａｘの範囲内に制限されるように、補正モデルｍｏｄｅｌ＿Ｂにおいて補正率が定義される。さらに、例えば、送出強度が、空気の汚れの程度に対して、１つ以上の変曲点を有する単調増加関数に基づく相対関係を有するように、補正モデルｍｏｄｅｌ＿Ｂにおいて補正率が定義される。補正モデルｍｏｄｅｌ＿Ｂに基づいて決定された送出強度は、空気の汚れの程度に対して、図１０に例示する送出強度１１１（又は送出強度１１２）と同様の相対関係を有してよい。これにより、エアコン１は、空気の汚れの程度が増大した場合（または、空気の汚れが所定の上限を超えた場合）に、体感温度の上昇を防止しつつ、空間内の空気を効率的に清浄できる。
【００７４】
（運転モード「風量制御運転：ＯＮ、除湿運転：ＯＮ」の場合）
図１２は、運転モード「風量制御運転：ＯＮ、除湿運転：ＯＮ」に関連付けられた補正モデルｍｏｄｅｌ＿Ｃの一例を示す図である。図１２に例示するように、補正モデルｍｏｄｅｌ＿Ｃは、湿度と汚れの程度とに応じた、補正率を格納する。なお、図１２は、補正モデルｍｏｄｅｌ＿Ｃに格納される情報、及び補正モデルｍｏｄｅｌ＿Ｃの構成を、図１２に例示する情報及び構成に限定しない。
【００７５】
例えば、補正モデルｍｏｄｅｌ＿Ｃにおいて、空気の汚れの程度Ｄが、Ｄ１＜Ｄ＜＝Ｄ２であって、湿度が４０％である場合、補正率は、０．９０である。また、例えば、補正モデルｍｏｄｅｌ＿Ｃにおいて、空気の汚れの程度Ｄが、Ｄ２＜Ｄ＜＝Ｄ３であって、湿度が４０％である場合、補正率は、０．８３である。図１２に例示するように、除湿運転に関連付けられた補正モデルｍｏｄｅｌ＿Ｃにおいて、空気の汚れの程度と、湿度とに応じて、補正率は異なる。
【００７６】
例えば、送出強度が所定の下限送出強度Ｒｃ＿ｍｉｎから上限送出強度Ｒｃ＿ｍａｓｘの範囲内に送出強度を制限するように、補正モデルｍｏｄｅｌ＿Ｃにおいて補正率が定義される。さらに、例えば、送出強度が、空気の汚れの程度に対して、１つ以上の変曲点を有する単調増加関数に基づく相対関係を有するように、補正モデルｍｏｄｅｌ＿Ｃにおいて補正率が定義される。なお、補正モデルｍｏｄｅｌ＿Ｃに基づいて決定された送出強度は、空気の汚れの程度に対して、図１０に例示する送出強度１１１（又は送出強度１１２）と同様の相対関係を有してよい。これにより、エアコン１は、空気の汚れの程度が増加した場合（または、空気の汚れの程度が所定の上限値を超えた場合）に、湿度の低下を防止しつつ、空間内の空気を効率的に清浄できる。
【００７７】
（エアコン１の動作）
図１３は、エアコン１の動作の一例を示すフローチャートである。なお、以下の説明では、記憶部２０に、図４に例示する基準モデルデータベース２１が格納されているとする。また、以下の説明では、記憶部２０に、図８に例示する補正モデルデータベース２２が格納されているとする。
【００７８】
ステップＳ１０１において、送風制御部６３は、運転モードを特定する。
【００７９】
ステップＳ１０２において、送風制御部６３は、基準モデルデータベース２１を参照し、特定された運転モードに関連付けられた基準モデルを取得する。
【００８０】
例えば、運転モードが「風量制御運転：ＯＮ、冷房運転：ＯＮ」であるとする。その場合、送風制御部６３は、図４に例示する基準モデルデータベース２１を参照し、基準モデルｂａｓｅ＿ａを特定する。
【００８１】
ステップＳ１０３において、送風制御部６３は、補正モデルデータベース２２を参照し、特定された運転モードに関連付けられた補正モデルを取得する。
【００８２】
例えば、運転モードが「風量制御運転：ＯＮ、冷房運転：ＯＮ」である場合、送風制御部６３は、図８に例示する補正モデルデータベース２２を参照し、補正モデルｍｏｄｅｌ＿Ａを特定する。ここで、補正モデルデータベース２２に、補正モデルｍｏｄｅｌ＿Ａとして、図９に例示する情報が格納されているとする。その場合、送風制御部６３は、補正モデルｍｏｄｅｌ＿Ａとして、図９に例示する情報を取得する。
【００８３】
ステップＳ１０４において、汚れ判断部６１は、空気の汚れの程度を判断する。
【００８４】
ステップＳ１０５において、送風制御部６３は、取得された基準モデルを参照し、空気の汚れの程度に応じて、送出強度として、補正基準値を設定する。
【００８５】
ステップＳ１０６において、送風制御部６３は、取得された補正モデルを参照し、空気の汚れの程度と、熱交換温度とに基づいて、補正率を算出する。
【００８６】
ここで、検出された空気の汚れの程度Ｄが、Ｄ１＜Ｄ＜＝Ｄ２であるとする。また、送風制御部６３は、送風機７のファンモータの回転数＝７００ｒｐｍを、基準設定値として設定したとする。そして、送風制御部６３は、基準モデルｂａｓｅ＿ａに基づいて、空気の汚れの程度Ｄである場合、送風機７のファンモータの回転数＝８００ｒｐｍを、補正基準値として設定したとする。そして、熱交換温度が２．０℃であるとする。その場合、送風制御部６３は、図９に例示する補正モデルｍｏｄｅｌ＿Ａを参照し、補正率＝０．９と算出する。
【００８７】
ステップＳ１０７において、送風制御部６３は、設定された補正基準値と、算出された補正率とに基づいて、送出強度を決定する。送風制御部６３は、例えば、補正基準値と基準設定値との差分と、補正率との積を算出してよい。そして、送風制御部６３は、算出された積と基準設定値との和を、送出強度として決定してよい。
【００８８】
例えば、送風制御部６３は、補正基準値＝８００ｒｐｍと、基準設定値＝７００ｒｐｍとの差分＝１００ｒｐｍを算出する。そして、送風制御部６３は、算出された差分＝１００ｒｐｍと、補正率＝０．９との差分＝９０ｒｐｍを算出する。そして、送風制御部６３は、算出された差分と、基準設定値との和＝７９０ｒｐｍを、送出強度として決定する。
【００８９】
ステップＳ１０８において、送風制御部６３は、決定された送出強度で、送風部４０を制御する。以上により、エアコン１は、室温、又は室内の人の体感温度が、過度に低下（又は上昇）しないような送出強度で、空気を送出できる。
【００９０】
ステップＳ１０９において、風向変更部４１は、決定された送出強度に応じて、風向板３の向きを制御する。例えば、風向変更部４１は、決定された送出強度に応じて、室内の人に対して、送出される風が当たることを防止するように風向板３の向きを調整する。以上により、エアコン１は、空気調和運転を行うとともに、空気の汚れに応じて送出強度を制御する運転を行う場合、室内の人が快適になるように、風量と風向とを調整しつつ、空間内の空気を清浄できる。
【００９１】
［第２の実施形態］
次に、図１４に基づいて、第２の実施形態を説明する。なお、下記において、他の実施形態と同様である点については説明を省略する。
【００９２】
図１４は、本実施の形態に係るエアコン１の機能構成の一例を示す図である。図１４に例示するエアコン１と、図３に例示するエアコン１との相違点は、図１４に例示するエアコン１は、人検出部５４を含む点である。なお、図１４は、エアコン１の構成の一例であり、本実施形態に係るエアコン１の構成を、図１４に例示する構成に限定しない。
【００９３】
人検出部５４は、空間内に存在する人を検出する。人検出部５４は、例えば、人感センサを含んで構成されてよい。
【００９４】
送風制御部６３は、人検出部５４により検出された人の位置とは異なる方向に空気を送出するように、風向板３の向きを制御する。これにより、エアコン１は、送出された空気が、室内の人に対して直接に当たることを防止できる。
【００９５】
［第３の実施形態］
次に、第３の実施形態について説明する。なお、下記において、他の実施形態と同様である点については説明を省略する。
【００９６】
例えば、エアコン１が暖房運転を行う場合、室内の温度が設定温度に達するまでに、暖房運転を開始してから所定の立ち上がり時間を要する。ここで、立ち上がり時間においては、熱交換器８が暖まっておらず、冷えた状態である場合がある。熱交換器８が冷えた状態において、送風部４０によって空気が送出されると、室内の人が冷気を感じ、体感温度が低下する場合がある。
【００９７】
そこで、送風制御部６３は、熱交換器８の温度に応じて、熱交換温度を決定する。例えば、送風制御部６３は、熱交換器８の温度と、設定温度との差分を、熱交換温度として決定する。そして、送風制御部６３は、決定された熱交換温度に基づいて、補正率を算出し、設定された送出強度（補正基準値）を補正する。
【００９８】
ここで、上記の通り、エアコン１は、熱交換温度が所定の下限温度より低い場合に、送出強度を制限するように補正率を定義して、補正基準値として送出強度を補正する。これにより、エアコン１が暖房運転を行うとともに、空気の汚れに応じて送出強度を制御する運転を行う場合であって、熱交換器８が冷えた状態である場合に、エアコン１は、過度な送出強度で空気が送出されることを防止できる。その結果、エアコン１は、室内の人の体感温度の低下を防止しつつ、空気を清浄するために必要な送出強度で空気を送出できる。
【００９９】
［第４の実施形態］
次に、第４の実施形態について説明する。なお、下記において、他の実施形態と同様である点については説明を省略する。
【０１００】
例えば、エアコン１が暖房運転を行う場合、室温が設定温度になるまでに、暖房運転を開始してから所定の時間を要する。室温が設定温度より低い状態において、送風部４０によって空気が送出されると、室内の人が冷気を感じ、体感温度が低下する場合がある。そこで、送風制御部６３は、温度検出部５２により検出された温度（即ち、室温）に応じて、熱交換温度を決定する。例えば、送風制御部６３は、室温と、運転強度に応じて設定された温度との差分を、熱交換温度として決定する。そして、送風制御部６３は、室温に応じて決定された熱交換温度に基づいて、補正率を算出し、補正基準値を補正する。
【０１０１】
ここで、上記の通り、エアコン１は、熱交換温度が所定の下限温度より低い場合に、送出強度を制限するように補正率を定義して、補正基準値として示す送出強度を補正する。これにより、エアコン１は、暖房運転を行うとともに、空気の汚れに応じて送出強度を制御する運転を行う場合であって、室温が設定温度より低い場合に、過度な送出強度で空気が送出されることを防止できる。その結果、エアコン１は、室内の人の体感温度の低下を防止しつつ、空気を清浄するために必要な送出強度で空気を送出できる。
【０１０２】
（付記事項）
上述の実施形態は、以下の形態のように記載してよいが、以下に限定されない。
【０１０３】
（形態１）空気調和装置であって、空気を浄化する浄化部と、前記浄化部により浄化された空気を空間に送出する送風部と、前記空間の空気の汚れを検出する汚れ検出部と、前記送風部によって送出される空気の温度を制御する温度制御部と、前記送風部を制御する送風制御部と、を備え、前記送風制御部は、前記汚れ検出部で検出結果に応じて、前記送風部の送出強度を設定し、さらに、前記空気調和装置の熱交換温度に基づいて、前記設定された送出強度を補正する、空気調和装置。
【０１０４】
（形態２）前記送風制御部は、さらに前記温度制御部の運転状態に基づいて、前記設定された送出強度を補正する、形態１に記載の空気調和装置。
【０１０５】
（形態３）前記温度制御部は、前記送出される空気を冷却または加熱する熱交換器を制御し、前記熱交換温度は、前記熱交換器の温度に応じた温度である、形態１又は２に記載の空気調和装置。
【０１０６】
（形態４）さらに、前記空間の温度を検出する温度検出部を備え、前記熱交換温度は、前記温度検出部により検出された温度に応じた温度である、形態１〜３のいずれか一態様に記載の空気調和装置。
【０１０７】
（形態５）さらに、前記空間の空気の湿度を検出する湿度検出部を備え、前記送風制御部は、前記湿度検出部により検出された湿度に基づいて、前記設定された送出強度を補正する、形態１〜４のいずれか一態様に記載の空気調和装置。
【０１０８】
（形態６）前記送風部は、前記送出される空気の向きを変更する風向変更部を備え、前記送風制御部は、前記熱交換温度に基づいて、前記風向変更部の向きを変更する、形態１〜５のいずれか一態様に記載の空気調和装置。
【０１０９】
本発明は、上記実施形態に限定されるものではなく、上記実施形態で示した構成と実質的に同一の構成、同一の作用効果を奏する構成又は同一の目的を達成することができる構成で置き換えてもよい。
【０１１０】
〔ソフトウェアによる実現例〕
エアコン１の制御ブロック（特に、制御部６０）は、集積回路（ＩＣ（Integrated Circuit）チップ）等に形成された論理回路（ハードウェア）によって実現してよいし、ＣＰＵを用いてソフトウェアによって実現してよい。後者の場合、エアコン１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、当該ゲームプログラムを伝送可能な任意の伝送媒体（通信ネットワークや放送波等）を介して上記コンピュータに供給されてよい。具体的には、本発明の実施の形態に係るプログラムは、エアコン１に搭載されたコンピュータに、汚れ判断部６１、温度制御部６２、送風制御部６３をそれぞれ実現させる。詳細については上述した通りである。
【符号の説明】
【０１１１】
１  エアコン（空気調和装置）、２  筐体、３  風向板、４  吹出し口、５  上吸込み口、６  下吸込み口、７  送風機、８  熱交換器、９  第１フィルタ、１０  第２フィルタ、１１  イオン発生器、１２  圧縮機、２０  記憶部、２１  基準モデルデータベース、２２  補正モデルデータベース、３０  浄化部、４０  送風部、４１  風向変更部、５１  汚れ検出部、５２  温度検出部、５３  湿度検出部、５４  人検出部、６０  制御部、６１  汚れ判断部、６２  温度制御部、６３  送風制御部、１０１  ｂａｓｅ＿ａ、１０２  ｂａｓｅ＿ａ、１０３  ｂａｓｅ＿ｂ、１１１  送出強度、１１２  送出強度、１１３  ｂａｓｅ＿ａ
【図１】
2020204424.tif 000003
【図２】
2020204424.tif 000004
【図３】
2020204424.tif 000005
【図４】
2020204424.tif 000006
【図５】
2020204424.tif 000007
【図６】
2020204424.tif 000008
【図７】
2020204424.tif 000009
【図８】
2020204424.tif 000010
【図９】
2020204424.tif 000011
【図１０】
2020204424.tif 000012
【図１１】
2020204424.tif 000013
【図１２】
2020204424.tif 000014
【図１３】
2020204424.tif 000015
【図１４】
2020204424.tif 000016